(57)【要約】【課題】玄関ドア１に隣接するようにして設けた宅配物用のボックス９を、宅配物を室外側から荷入れできる荷入れ側ドア１２と、室内側に荷受けすることができる荷受け側ドア１５とを設けたものについて防火性の優れたものにする。【解決手段】ボックス９の室内対向面となる荷受け側ドア１５と、ボックス９の一対の側板１３、１４を、納まり構造も含めて防火処理が施されたものとして、室内外を仕切ることになるボックス９について防火性能が発揮できるようにする。【選択図】図７
2019056225.tif 000002
【特許請求の範囲】
【請求項１】
居住室を室内外に仕切るための仕切り部に設けられた宅配物用のボックスを、宅配物を室外から荷入れするための荷入れ側ドアと、該荷入れされた宅配物を室内に荷受けする荷受け側ドアとが備えられたものとするにあたり、前記荷入れ側ドア、荷受け側ドアの少なくとも一方は防火仕様になっていることを特徴とする宅配物用のボックス装置。
【請求項２】
前記ボックスに備えられる防火仕様のドアは、該ドアが納まるドア枠に対して相じゃくり構造で納まる構成になっていることを特徴とする請求項１記載の宅配物用のボックス装置。
【請求項３】
前記ボックスに備えられる防火仕様のドアは、自閉装置を介して自閉するように構成されていることを特徴とする請求項１または２記載の宅配物用のボックス装置。
【請求項４】
前記荷入れ側ドアの左右方向一方に玄関ドアが隣接するものとし、該玄関ドアのドア枠は、荷入れ側ドア側にまで延長されていて、該荷入れ側ドアを納めるためのドア枠の一部を構成していることを特徴とする請求項３記載の宅配物用のボックス装置。
【請求項５】
前記玄関ドアのドア枠には、玄関ドアと荷入れ側ドアとのあいだに位置して方立が設けられ、該方立に荷入れ側ドアが相じゃくり構造で納まる構成になっていることを特徴とする請求項４記載の宅配物用のボックス装置。
【請求項６】
前記玄関ドアのドア枠には、玄関ドアと荷入れ側ドアとのあいだに位置して方立が設けられ、該方立に荷受け側ドアが相じゃくり構造で納まる構成になっていることを特徴とする請求項４記載の宅配物用のボックス装置。
【請求項７】
前記方立は、荷入れ側ドアと荷受け側ドアとの両ドアが相じゃくり構造で納まる構成になっていることを特徴とする請求項５または６記載の宅配物用のボックス装置。
【請求項８】
前記ボックスは、荷受け側ドアと、居住室とボックスのあいだを仕切る仕切り側板とが防火仕様になっていることを特徴とする請求項１乃至７の何れか１記載の宅配物用のボックス装置。
【請求項９】
ボックスは、各角部が枠組み形成された四角筒形状をしていることを特徴とする請求項１乃至８の何れか１記載の宅配物用のボックス装置。
【請求項１０】
荷入れ側ドアは、一枚物で、玄関ドアと同高さに設定されていることを特徴とする請求項４乃至９の何れか１記載の宅配物用のボックス装置。
【請求項１１】
ボックスは、上下複数の仕切り室が仕切り棚により仕切り形成されるものであり、該仕切り棚の一部は水平姿勢から垂下姿勢に折畳み自在に設けられていることを特徴とする請求項１乃至１０の何れか１記載の宅配物用のボックス装置。
【請求項１２】
折畳み自在に設けられる仕切り棚は、最上段および最下段の仕切り棚を除いた仕切り棚であることを特徴とする請求項１１記載の宅配物用のボックス装置。
【請求項１３】
最上段の仕切り室の荷入れ側ドア側の面部は塞がれていることを特徴とする請求項１１または１２記載の宅配物用のボックス装置。
【請求項１４】
荷入れ側ドアに自閉装置が設けられるものである場合、該自閉装置は、最上段の仕切り室を避けた下側仕切り室のスペースに設けられていることを特徴とする請求項１３記載の宅配物用のボックス装置。
【発明の詳細な説明】
【技術分野】
【０００１】
本発明は、マンション等の居住室の室内外仕切り部に設けられる宅配物受け用のボックス装置の技術分野に関するものである。
【背景技術】
【０００２】
今日、マンション等の住宅において、宅配物の配達があった場合に、居住者が留守のときには宅配業者が宅配物を持ち帰り、後日（後刻）再配達をするというシステムとしたときに、宅配業者としては二度（複数回）の配達（再配達）が強いられることになって作業負担が過重になるという問題が提起されている。そこで例えば、玄関ドアに隣接する状態で居住室の室内外を仕切る部位に箱状をした宅配物受け用のボックスを設け、居住者が留守であった場合に、宅配業者が該ボックス内に宅配物を入れておくことて宅配をしたことにし、これによって再配達をしないで済むようにすることが提唱されている（例えば特許文献１、２参照。）。
【先行技術文献】
【特許文献】
【０００３】
【特許文献１】特公平７−１２０１７１号公報
【特許文献２】実用新案登録第２５４５７０６号公報
【発明の概要】
【発明が解決しようとする課題】
【０００４】
ところが前記従来の宅配物受け用のボックスは、屋外側から宅配物を入れる（荷入れする）ための荷入れ側ドアと、該入れられた宅配物を室内側に受け出す（荷受けする）ための荷受け側ドアとが設けられたものとし、これにより、荷入れ側ドアだけが設けられた場合のように、ボックス内に入れられた宅配物を荷受けするためいちいち室外に出て荷入れ側ドアを開閉するような面倒をなくし、室内側の荷受け側ドアから宅配物を荷受けすることができるようにして利便性の確保をしているが、これらのものは、ボックスに設けた室内外の荷入れ、荷受け側の両ドアの存在により室内外を、ドアを介して連通する構成になるものの、この様な宅配物受け用のボックスにおいて、従来から、防火性能については全く考慮されておらず、このため例えば室内外を通じる玄関ドアについては法定上の防火性能が確保されたものとしても、室内外を通じる宅配物受け用のボックスについては必要な防火性能が確保されていないものとなって防火性が損なわれてしまうという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、居住室を室内外に仕切るための仕切り部に設けられた宅配物用のボックスを、宅配物を室外から荷入れするための荷入れ側ドアと、該荷入れされた宅配物を室内に荷受けする荷受け側ドアとが備えられたものとするにあたり、前記荷入れ側ドア、荷受け側ドアの少なくとも一方は防火仕様になっていることを特徴とする宅配物用のボックス装置である。
請求項２の発明は、前記ボックスに備えられる防火仕様のドアは、該ドアが納まるドア枠に対して相じゃくり構造で納まる構成になっていることを特徴とする請求項１記載の宅配物用のボックス装置である。
請求項３の発明は、前記ボックスに備えられる防火仕様のドアは、自閉装置を介して自閉するように構成されていることを特徴とする請求項１または２記載の宅配物用のボックス装置である。
請求項４の発明は、前記荷入れ側ドアの左右方向一方に玄関ドアが隣接するものとし、該玄関ドアのドア枠は、荷入れ側ドア側にまで延長されていて、該荷入れ側ドアを納めるためのドア枠の一部を構成していることを特徴とする請求項３記載の宅配物用のボックス装置である。
請求項５の発明は、前記玄関ドアのドア枠には、玄関ドアと荷入れ側ドアとのあいだに位置して方立が設けられ、該方立に荷入れ側ドアが相じゃくり構造で納まる構成になっていることを特徴とする請求項４記載の宅配物用のボックス装置である。
請求項６の発明は、前記玄関ドアのドア枠には、玄関ドアと荷入れ側ドアとのあいだに位置して方立が設けられ、該方立に荷受け側ドアが相じゃくり構造で納まる構成になっていることを特徴とする請求項４記載の宅配物用のボックス装置である。
請求項７の発明は、前記方立は、荷入れ側ドアと荷受け側ドアとの両ドアが相じゃくり構造で納まる構成になっていることを特徴とする請求項５または６記載の宅配物用のボックス装置である。
請求項８の発明は、前記ボックスは、荷受け側ドアと、居住室とボックスのあいだを仕切る仕切り側板とが防火仕様になっていることを特徴とする請求項１乃至７の何れか１記載の宅配物用のボックス装置である。
請求項９の発明は、ボックスは、各角部が枠組み形成された四角筒形状をしていることを特徴とする請求項１乃至８の何れか１記載の宅配物用のボックス装置である。
請求項１０の発明は、荷入れ側ドアは、一枚物で、玄関ドアと同高さに設定されていることを特徴とする請求項４乃至９の何れか１記載の宅配物用のボックス装置である。
請求項１１の発明は、ボックスは、上下複数の仕切り室が仕切り棚により仕切り形成されるものであり、該仕切り棚の一部は水平姿勢から垂下姿勢に折畳み自在に設けられていることを特徴とする請求項１乃至１０の何れか１記載の宅配物用のボックス装置である。
請求項１２の発明は、折畳み自在に設けられる仕切り棚は、最上段および最下段の仕切り棚を除いた仕切り棚であることを特徴とする請求項１１記載の宅配物用のボックス装置である。
請求項１３の発明は、最上段の仕切り室の荷入れ側ドア側の面部は塞がれていることを特徴とする請求項１１または１２記載の宅配物用のボックス装置である。
請求項１４の発明は、荷入れ側ドアに自閉装置が設けられるものである場合、該自閉装置は、最上段の仕切り室を避けた下側仕切り室のスペースに設けられていることを特徴とする請求項１３記載の宅配物用のボックス装置である。
【発明の効果】
【０００６】
請求項１の発明とすることにより、宅配物用のボックスを居住室の室内外を仕切る仕切り部に設けながら、荷入れ側ドア、荷受け側ドアの少なくとも一方のドアが防火仕様となって、ボックスを防火性の優れたものにすることができる。
請求項２の発明とすることにより、宅配物用のボックスの構成部材である防火仕様のドアが、ドア枠に対して相じゃくり構造で納まる結果、優れた防火性能のものにすることができる。
請求項３の発明とすることにより、宅配物用のボックスの構成部材である防火仕様のドアが、自閉装置により自閉するものであるため、うっかりした閉鎖忘れ等によりドアが開放状態のままになって防火性能が損なわれてしまうことがない。
請求項４の発明とすることにより、荷入れ側ドアが玄関ドアに隣接することになるが、その場合の玄関ドアのドア枠が、荷入れ側ドア側にまで延長されていて該荷入れ側ドアのドア枠の一部を構成することになる結果、荷入れ側ドアと玄関ドアとの一体感が醸成されることになって外観性が向上する。
請求項５の発明とすることにより、玄関ドアのドア枠に設けられた方立が、荷入れ側ドアを相じゃくり構造で納めるものとなる結果、該方立が荷入れ側ドアを納めるためのドア枠に兼用されるだけでなく、荷入れ側ドアが設けられたボックスについて優れた防火性能を発揮させる部材としても機能することになり、構造の簡略化にも寄与する。
請求項６の発明とすることにより、玄関ドアのドア枠に設けられた方立が、荷受け側ドアを相じゃくり構造で納めるものとなる結果、該方立が荷受け側ドアを納めるためのドア枠に兼用されるだけでなく、荷受け側ドアが設けられたボックスについて優れた防火性能を発揮させる部材としても機能することになり、構造の簡略化にも寄与する。
請求項７の発明とすることにより、玄関ドアのドア枠に設けられた方立が、荷入れ側ドアおよび荷受け側ドアを相じゃくり構造で納めるものとなる結果、該方立が荷入れ側ドアおよび荷受け側ドアを納めるためのドア枠に兼用されるだけでなく、荷入れ側ドアおよび荷受け側ドアが設けられたボックスについて優れた防火性能を発揮させる部材としても機能することになり、構造の簡略化にも寄与する。
請求項８の発明とすることにより、宅配物の荷入れ側用、荷受け側用の各ドアが設けられたボックスが居住室を室内外に仕切るものとして用いられたとして、優れた防火性能を発揮できることになる。
請求項９の発明とすることにより、宅配物用のボックスでありながら、該ボックスが角部が枠組みされた四角筒状で形成されることとなって強度的に優れたものとなり、防火性能の向上に寄与することができる。
請求項１０の発明とすることにより、荷入れ側用ドアは、一枚物で玄関ドアと同じ高さになっている結果、ドアの共通化、統一化が図れ、外観性の優れたものにできる。
請求項１１の発明とすることにより、ボックスは仕切り棚により複数の仕切り室に仕切られることになるが、仕切り板を垂下姿勢にすることで仕切り室を大きくして宅配物が大きい場合に対応することができ利便性が向上する。
請求項１２の発明とすることにより、宅配物を荷入れ、荷受けしやすい中間高さの仕切り室の大きさを必要において調整できることになって利便性の高いものにできる。
請求項１３の発明とすることにより、宅配物の荷入れがしづらく、室内側から宅配物の存否の確認をしづらい最上段の仕切り室は、塞ぎ板で塞がれることで宅配物の荷入れができず、室内側から荷物の出し入れができる通常の棚として使用されることになって、宅配物の見落とし防止をすることができる。
請求項１４の発明とすることにより、最上段の仕切り室が塞がれたものである場合の荷入れ側ドアに自閉装置を設けるにあたり、自閉装置は、最上段の仕切り室を避けた下側の仕切り室に設けられることになるため、支障なく自閉装置を取り付けることができる。
【図面の簡単な説明】
【０００７】
【図１】第一の実施の形態を示す玄関ドア部位の正面図である。
【図２】荷入れ側ドアを開放した状態の玄関ドア部位の正面図である。
【図３】玄関ドア部位の背面図である。
【図４】ボックスの第二側板側から見た側面図である。
【図５】ボックスの荷受け側ドア側から見た側面図である。
【図６】荷受け側ドアを開放した状態のボックスの荷受け側ドア側から見た側面図である。
【図７】玄関ドア部位の水平断面図である。
【図８】（Ａ）（Ｂ）は玄関ドアの相じゃくり構造で納まる状態、側板の取付け状態をそれぞれ示す要部拡大断面図である。
【図９】図７の荷受け側戸体を開放した状態のＸ−Ｘ断面図である。
【図１０】図７のＹ−Ｙ断面図である。
【図１１】図７のＺ−Ｚ断面図である。
【図１２】第二の実施の形態を示す玄関ドア部位の正面図である。
【図１３】荷入れ側ドアを開放した状態の玄関ドア部位の正面図である。
【図１４】玄関ドア部位の水平断面図である。
【図１５】第三の実施の形態を示す玄関ドア部位の水平断面図である。
【図１６】（Ａ）（Ｂ）（Ｃ）は第四の実施の形態、第五の実施の形態、参考の実施の形態のボックス部位の水平断面図である。
【発明を実施するための形態】
【０００８】
以下、本発明の実施の形態について、図面に基づいて説明する。図面において、１はマンションの室内等の居住空間になる室内と、マンションである場合に通路側となる室外とのあいだに設けられた出入口の開閉をするための玄関ドアであって、該玄関ドア１は、ヒンジ（本実施の形態では幡蝶番）２を介して室外側に開閉揺動できる開き戸式で、室内側に配されたドアクローザ（自閉装置の一例）３により自閉式になるよう設定されている。しかも玄関ドア１としては、法または規約で定められた「特定防火設備の構造方法」あるいは「防火設備の構造方法」の仕様が採用されている。このようなものとして具体的には、表裏両面板がある場合には、骨組み（枠材）を鉄製（鋼製）とし、かつ両面板とも厚さ０．５ｍｍ以上の鋼板で形成した防火戸が例示され、また表裏両面板がある場合には何れか一方の面板が、あるいは表裏面板のうちの何れか一方の面板しかない場合には該面板が厚さ１．５ｍｍ以上の鋼板で形成した防火戸が例示され、このような仕様に構成することで優れた防火設備（「特定防火設備の構造方法」による設備）としてのドアを提供できるが、ここまでの防火性能が要求されないものである場合においては、表裏両面板があるもの、表裏一方の面板しかないものについて、一方の面板の厚さが０．８ｍｍ以上１．５ｍｍ未満の鋼板で形成した防火戸とすることで優れた防火設備（「防火設備の構造方法」による設備）を備えたドアを提供でき、このようにすることによって必要な防火性能を備えたものとすることができる。
因みに、後述する宅配物用のボックス９を構成するための荷入れ側ドア１２、荷受け側ドア１５、第一、第二側板１３、１４についても同様の防火性能を備えた仕様とすることができるが、以下に記載される本実施の形態では、具体的に記載される仕様のものとして実施している。
また図中、５はドア用把手（本実施の形態では操作部がドア面から突出する突出型のハンドル（ドアノブのようなものであっても勿論よい。）を採用しているが、後述する宅配物用のボックス９の各ドア１２、１５に採用される把手のように「掘り込みハンドル」を採用してもよく、これらドアについては、把手として通常知られたものを必要において採用できることは言うまでもない。）、６は施錠装置、７はドア用スコープである。
【０００９】
そして前記玄関ドア１は、戸尻側端縁部がヒンジ（本実施の形態では幡蝶番であるがこれに限定されるものでない。）２を介してドア枠４を構成する左右方向一方の縦枠４ａに蝶着されるが、ドア枠４は、上枠４ｂ、沓摺４ｃが玄関ドア１の戸先側端縁部よりも左右方向に長いものとして構成される。
前記玄関ドア１は、一方の縦枠４ａ、上枠４ｂ、沓摺４ｃ、そして上枠４ｂ、沓摺４ｃの左右方向中間部に位置する状態で上枠４ｂと沓摺４ｃとのあいだに架設された方立８に対してそれぞれ相じゃくり構造Ｄで納まるようになっているが、ドア枠４並びに方立８は、必要な防火性能を確保するため、その板材が、例えば板厚１．５ｍｍ以上の鋼材で形成されている。
ここで相じゃくり構造Ｄでの納まりとは、例えば図８において、一方の縦枠４ａに対する玄関ドア１の戸尻側端縁部の納まり構造を例にして説明すると、一方の縦枠４ａは、玄関ドア１が閉鎖した状態で、玄関ドア１の戸尻側端面１ａと、これに対向する一方の縦枠４ａの面部４ｄに対し、一方の縦枠４ａが、該一方の縦枠４ａの室内側の面部４ｅが戸尻側端面部１ａよりも戸先側に偏倚した折曲構造になっており、これにより、玄関ドア１と一方の縦枠４ａとの互いに対向する端縁部同士が互いに半分ずつ削り合ったかみ合わせ状態、つまり端縁部同士が相互に重なり合ったかみあわせ状態で納まっていて、ドア面と直交する方向（例えば室内外方向）から見たときに、反対側（内外方向反対側）を見通せない状態になっている構造であることを意味しており、この相じゃくり構造Ｄでの納まりは他部所においても同様である。
【００１０】
９は本発明が実施された宅配物用のボックスであって、該ボックス９は、玄関ドア１の戸先側（左右方向一方）に隣接する状態で設けられるものであるが、該ボックス９は、四角筒形状をし、各コーナー部（角部）に、ドア枠４の他方の縦枠４ｆ、前記方立８、共に室内側に配される状態で前記縦枠４ｆに対して室内外方向に対向する第一枠１０、方立８に対向する第二枠１１を四本の枠材を存する状態で枠組み形成されるものである。そしてこの場合に、第一、第二枠１０、１１は、ドア枠４、方立８と同様、必要な防火性能を確保するため、その板材が、例えば板厚１．５ｍｍ以上の鋼材で形成されている。
【００１１】
さらに具体的には、前記ボックス９は、室外側であって他方の縦枠４ｆと方立８とのあいだに設けられる荷入れ側ドア１２と、第一枠１０と第二枠１１とのあいだに設けられる第一側板１３と、他方の縦枠４ｆと第一枠１０とのあいだに設けられる第二側板１４と、方立８と第二枠１１とのあいだに設けられる荷受け側ドア１５とにより前後左右の四側面が囲撓形成された四角筒形状をしているが、前記第一、第二側板１３、１４は、ボックス９の内側面となる面材１３ａ、１４ａが厚さ１．５ｍｍ以上の鋼材で形成されることで必要な防火性能が確保されているが、これら第一、第二側板１３、１４についても、前述した玄関ドア１と同様「特定防火設備の構造方法」「防火設備の構造方法」の仕様として防火性能の確保をすることができる。
しかもこれら第一、第二側板１３、１４は、前記面材１３ａ、１４ａから一連に続くようにして横方向両端縁部に設けた連結金具１３ｂ、１４ｂが、ビス１６により対応する他方の縦枠４ｆ、第一、第二枠１０、１１に一体的に設けた連結具４ｇ、１０ａ、１１ａに対してＬ字形状態（相じゃくり構造）で重合（積層）するようにして固定されている。
【００１２】
一方、荷入れ側ドア１２は、他方の縦枠４ｆ側の端縁部が戸尻側となってヒンジ（幡蝶番）１２ａを介して屋外側に開放するよう開閉自在に蝶着され、戸先側端縁部が方立８に納まる構成になっているが、該荷入れ側ドア１２の戸尻側および戸先側端縁部（横方向両端縁部）、並びに上下両端縁部は、閉鎖状態で他方の縦枠４ｆ及び方立８、並びに上枠４ｂ、沓摺４ｃに対してそれぞれ相じゃくり構造Ｄで納まるように構成され、これにより隣接部材間のあいだが必要な防火性能を確保するように構成されている。しかもこの場合に、荷入れ側ドア１２自体は、枠材（骨組み）１２ｂが鋼製で、かつ内外両面板１２ｃが厚さ０．５ｍｍ以上の鋼板で形成されることで必要な防火性能を確保しているが、これに準じる防火性能を確保するため内外何れか一方の面板１２ｃを板厚１．５ｍｍ以上の鋼板で形成したものとすることができ、ここまでの防火性能が要求されないものである場合、何れか一方の面板１２ｃを０．８ｍｍ以上１．５ｍｍ未満の鋼板で形成して、前述の玄関ドア１と同様の「特定防火設備の構造方法」「防火設備の構造方法」の仕様として防火仕様の確保をしたものとすることができる。尚、１２ｄは荷入れ側ドア１２の把手、１２ｅは施錠装置である。
【００１３】
また、荷受け側ドア１５は、戸尻側端縁部が方立８にヒンジ（本実施の形態では中心吊りヒンジを採用しているが、幡蝶番を採用しても勿論よい。）１５ａを介して玄関ドア１側に向けて開放できるよう開閉自在に蝶着されているが、該荷受け側ドア１５の戸尻側および戸先側端縁部（横方向両端縁部）は方立８、第二枠１１に対して相じゃくり構造Ｄで納まり、また上下両端縁部は、上下枠１５ｂ、１５ｃに相じゃくり構造Ｄで納まる構成になっている。しかも荷受け側ドア１５は、枠材（骨組み）１５ｄが鋼製で、表裏両面板１５ｅが厚さ０．５ｍｍ以上の鋼板で構成されることで必要な防火性能を確保しているが、前述した「特定防火設備の構造方法」「防火設備の構造方法」の仕様として防火仕様の確保をしてもよい。
尚、荷受け側ドア１５には、室内側に把手１５ｆ、施錠装置１５ｇが設けられている。
【００１４】
ボックス９は、前述したように、荷入れ側ドア１２、荷受け側ドア１５、並びに第一、第二側板１３、１４を用い、ドア枠４の他方の縦枠４ｆ、方立８、第一、第二枠１０、１１により４つの角部が枠組み形成された四角筒状に形成されているが、最下段の仕切り棚（最下段仕切り棚）９ａ、最上段の仕切り棚（最上段仕切り棚）９ｂ、これらの中間に設けられる少なくとも一段の仕切り棚（中間仕切り棚）９ｃにより上下複数段に仕切られているが、そのうち最下段および最上段の仕切り棚９ａ、９ｂは、ボックス９の水平方向の内面積に略相当する広さ（大きさ）を有したものでボックス９側に固着されることで一体化されている。そしてそのうちの最上段仕切り棚９ｂにより形成される最上段の仕切り室９ｄは、荷入れ側ドア１２に対向する面部が塞ぎ板９ｅにより塞がれており、これによって最上段仕切り室９ｄは、荷入れ側ドア１２から荷物の出し入れはできず、荷受け側ドア１５からの荷物の出し入れしかできないように構成されていて、居住室側のみから使用できる棚として機能する構成になっている。
【００１５】
これに対し中間仕切り棚９ｃは、荷入れ側ドア１２に対して間隙Ｓを存すると共に、荷受け側ドア１５とこれに対向する第二側板１４との間にも隙間Ｔを存する寸法設定になっており、しかも荷入れ側ドア１２に対向する第一側板１３にヒンジ９ｆを介して水平姿勢から垂下姿勢に変姿するよう折畳み自在に構成されている。
前記他方の縦枠４ｆと方立８との各対向端面には、前記隙間Ｔに配される状態で荷入れ側ドア１２側が開口したコ字形の係止金具１７が設けられ、該係止金具１７には、荷入れ側ドア１２側から抜き差し自在（係脱自在）に嵌入係止できる棒状の係止体１８が設けられ、中間仕切り棚９ｃは、荷入れ側ドア１２側の端縁部が係止体１８に上側から係止することで前記水平姿勢に保持される構成になっている。
そして中間仕切り棚９ｃは、図１０に示すように、前記水平姿勢から少し持上げた状態で係止具１８を係止金具１７から抜き去ると、前記水平姿勢に保持している係止具１８がなくなり、これによって水平姿勢から垂下姿勢に変姿できるようになっており、このようにすることで、宅配物が大きく、各仕切られた仕切り室に入りきらないような場合に、中間仕切り棚９ｃを垂下姿勢にすることで仕切り空間を大きくして大きな宅配物に対応できるように配慮されている。
【００１６】
また、荷入れ側ドア１２、荷受け側ドア１５にはドアクローザ（自閉装置）３がそれぞれ設けられていて開放したものが自閉する構成になっているが、荷入れ側ドア１２に設けられるドアクローザ３は、最上段仕切り室９ｄの下側の仕切り室９ｅに設けられており、これにより最上段仕切り室９ｄの荷入れ側ドア１２側を塞ぎ板９ｅで塞いだものであっても、問題なくドアクローザ３を設けることができるようになっている。
【００１７】
叙述の如く構成された本発明の実施の形態において、宅配物用のボックス９は、玄関ドア１に隣接する状態で居住室を室内外に仕切るための仕切り部に設けられたものであり、該ボックス９には、宅配物を室外から荷入れするための荷入れ側ドア１２と、該荷入れされた宅配物を室内に荷受けする荷受け側ドア１５とが備えられたものであるが、これら荷入れ側ドア１２、荷受け側ドア１５は何れも防火仕様になっているため、居住室を内外に仕切るべく設けられた宅配物用のボックス９について、ドア部位においての防火性能の確保を図ることができる。
【００１８】
しかもこれら荷入れ側ドア１２、荷受け側ドア１５は、何れも対応するドア枠となる他方の縦枠４ｆ、方立８、第一枠１０、上枠４ｂ、沓摺４ｃ、上下枠１５ｂ、１５ｃに対して相じゃくり構造Ｄで納まる構成になっているため、荷入れ側ドア１２、荷受け側ドア１５に隣接する部材とのあいだについても優れた防火性能を確保することができる。
そのうえこれら荷入れ側ドア１２、荷受け側ドア１５は、何れもドアクローザ３により自閉する構造になっているため、閉め忘れにより開放状態のままになって防火性能が損なわれてしまうようなことがなく、防火性能の維持が図れることになる。
【００１９】
そのうえ前記ボックス９は、前記荷入れ側ドア１２の左右方向一方に玄関ドア１が隣接するものになっているが、この場合に、該玄関ドア１のドア枠４が、上枠４ｂと沓摺４ｃとが荷入れ側ドア１２側にまで延長された一体物になり、しかもこの上枠４ｂと沓摺４ｃとの他側端縁に他方の縦枠４ｆが設けられた構成になっているため、一つのドア枠４に荷入れ側ドア１２と玄関ドア１との両者が納められた構造となって一体感が醸成されると共に外観も向上する。
しかもこのドア枠４には、玄関ドア１と荷入れ側ドア１２とのあいだに位置して方立８が設けられるが、該方立８には、玄関ドア１だけでなく、荷入れ側ドア１２も相じゃくり構造Ｄで納まる構成になっているため、方立８が荷入れ側ドア１２を納めるためのドア枠として兼用されるだけでなく、荷入れ側ドア１２が設けられたボックス９についての防火性能の確保が図れることになる。
【００２０】
そのうえこの方立８は、室外側からは玄関ドア１と荷入れ側ドア１２とのあいだに存する隙間部分を通して僅かにしか視認されない構造のため、防火性能を発揮するため左右方向に幅太になった確りとした枠構造で形成されながら、室外側からの全体としての視認性が損なわれることがない。
そしてこの方立８には、さらに荷受け側ドア１５が相じゃくり構造Ｄで納まる構成になっているため、方立８は、玄関ドア１に加えて、荷入れ側ドア１２、荷受け側ドア１５の三つのドアを納めることになるが、この場合に、何れのドアも相じゃくり構造Ｄで納められるものであるため、方立８が、単にドア枠としてだけでなく、防火性能を発揮するための部材としても兼用化されることになって、構造の簡略化にも寄与することになる。
【００２１】
また前記ボックス９は、荷受け側ドア１５と第一、第二側板１３、１４とが防火仕様になっていると共に、方立８、第一、第二枠１０、１１並びに他方の縦枠４ｆに相じゃくり構造Ｄで納まる結果、仮に荷入れ側ドア１２を防火性能がないものに構成したとしても、荷受け側ドア１５と第一、第二側板１３、１４による室内外の防火仕切りができることになって優れた防火性能を発揮できることになる。
そのうえボックス９は、四角筒形状をし、その各角部が方立８、他方の縦枠４ｆ、第一、第二枠１０、１１の枠材により枠組み形成されているため、強度的に優れたものとなり、防火性能の向上に寄与することができる。
また荷入れ側ドア１２は一枚物であって、玄関ドア１と同高さに設定されているため、これらドア１２、１の外観上の共通化、統一化を図ることができ、外観性が向上する。因みに、荷受け側ドア１５は、一枚物ではあるが、玄関ドア１に対して下端縁が高位になるよう設定されている点で荷入れ側ドア１２とは相違しているが、これは玄関の三和土部分が屋外の通路部分よりも高くなっていることに起因しており、止むを得ないものがあるが、荷受け側ドア１５の上端部分は玄関ドア１と同高さになっていることで外観上の共通性を図っている。
【００２２】
一方、ボックス９については、最上段、最下段、並びに中間の仕切り棚９ａ、９ｂ、９ｃによって上下方向複数の仕切り室に分割され、そのうちの中間仕切り棚９ｃは、宅配物を載置できる水平姿勢から垂下姿勢に折畳み自在に設けられていることで、仕切り室を必要において大きなものにすることができ、これにより大きな宅配物に自在に対応できることになって利便性が向上する。
しかもこの場合に折畳むことができるものは、宅配物の荷入れ、荷出しのしやすい中間仕切り棚９ｃであるため更なる利便性の向上を図ることができる。
そのうえこのものでは、高位であるが故に宅配物の荷入れがしづらいと共に宅配物の存在に気づきずらい最上段仕切り室９ｄの荷入れ側ドア１２側の面部は塞ぎ板９ｅにより塞がれていて荷入れができないため、最上段仕切り室９ｄへの荷入れがことになって荷入れ忘れを回避できることになるが、最上段仕切り室９ｄ自体は、室内側からは荷物の出し入れができることとなってドアのある通常の棚としての機能を果たすこととなり、利便性が向上する。
【００２３】
そのうえこのものでは、荷入れ側ドア１２にドアクローザ３が設けられていて自閉するようになっているが、該ドアクローザ３は、最上段仕切り室９ｄを避けた下側仕切り室に設けられており、このため最上段仕切り室９ｄを塞ぎ板９ｅで塞いだものであっても支障なくドアクローザ３を取付けることができる。
さらにボックス９において、本実施の形態では、荷入れ側ドア１２、荷受け側ドア１５にそれぞれ施錠装置１２ｅ、１５ｇが設けられたものにしているが、これに限定されず、施錠装置としては、荷入れ側ドア１２にはなく、荷受け側ドア１５に設けられたものにすることができ、このようにすることで、宅配物の荷入れ側ドア１２からの荷入れは自由にできる一方で、室内から宅配物を荷入れするための荷受け側ドア１５は施錠できることとなって防犯性が損なわれることがない。またさらに、荷受け側ドア１５に設ける施錠装置１５ｇとしては、室内側からのみ施錠解錠の操作ができるものであれば十分であって、このようにすることで防犯上問題になることはない。
【００２４】
尚、本発明は前記実施の形態に限定されるものでないことは勿論であり、例えば図１２〜図１４に示す第二の実施の形態のものとしても実施することができる。ここで引出符号については、第一の実施の形態と同じものについては同じものを付してある。このものは、玄関ドア２１に対し、前記第一の実施の形態のものと同様、ボックス９を隣接したものであるが、玄関ドア２１は、ボックス９側の端縁を戸尻側端縁として中心吊りのヒンジ２１ａを介して蝶着されたものであり、ボックス９とは逆の戸先側端縁に隣接するようにして袖板部２２が設けられ、該袖板部２２に、インターフォン２３、照明カバー２４、郵便入れ（新聞入れ）２５、銘板２９等の玄関において配される各種の部材が設けられている。
この場合に、ドア枠４は、上枠４ｂ、沓摺４ｃが袖板部２２にまで至るように延長され、玄関ドア２１と袖板部２２とのあいだには、前記一方の縦枠４ａに代えて第二の方立２６を設けたものとし、かつ上枠４ｂ、沓摺４ｃの戸先側端縁に袖板部２２を納めるための縦枠４ｈが設けられたものとなっていて、ドア枠４の一体化を図っていると共に、袖板部２２についても玄関ドア２１と同様一枚物にし、これにより玄関ドア２１、荷入れ側ドア９、そして袖板部２２の統一化を図り、外観の向上に配慮している。
【００２５】
さらにまた、図１５に示す第三の実施の形態のものは、第一の実施の形態のものと同様、袖板部がなく、玄関ドア１とボックス９とが隣接する構成のものであるが、このものでは、ボックス９に設けられる荷入れ側ドア２７がヒンジ２７ａを介して開閉自在に設けられているが、該荷入れ側ドア２７は、方立８と第一枠１０とのあいだでなく、第一、第二枠１０、１１のあいだに納まるようにした設けられたものであり、前記第一の実施の形態の荷入れ側ドア１５に代えて第三側板２８が方立８と第一枠１０とのあいだに設けられた構成になっている。
また図１６（Ａ）（Ｂ）は第四、第五の実施の形態を示すものであるが、これらは何れも玄関ドアが隣接したものでなく、ボックス９が単独で設けられたものであって、第四の実施の形態のものは、前記第一の実施の形態のボックス９が単独で設けられたものであり、第五の実施の形態のものは前記第二の実施の形態のボックス９が単独で設けられたものである。そしてここでは、図１６（Ｃ）にボックス９が参考の実施の形態として図示されているが、このボックス９は、玄関ドアが隣接しない単独のものであって、荷入れ側ドアがなく、荷受け側ドア１２だけが設けられたものである。
【産業上の利用可能性】
【００２６】
本発明は、マンション等の居住室の室内外を仕切るようにして設けられる宅配物用のボックス装置として利用することができる。
【符号の説明】
【００２７】
１  玄関ドア
４  ドア枠
４ａ  一方の縦枠
４ｂ  上枠
４ｃ  沓摺
４ｆ  他方の縦枠
８  方立
９  ボックス
９ａ  最下段仕切り棚
９ｂ  最上段仕切り棚
９ｃ  中間仕切り棚
９ｄ  最上段仕切り室
９ｅ  塞ぎ板
１０  第一枠
１１  第二枠
１２  荷入れ側ドア
１３  第一側板
１４  第二側板
１５  荷受け側ドア
１５ｇ  施錠装置
Ｄ  相じゃくり構造
【図１】
2019056225.tif 000003
【図２】
2019056225.tif 000004
【図３】
2019056225.tif 000005
【図４】
2019056225.tif 000006
【図５】
2019056225.tif 000007
【図６】
2019056225.tif 000008
【図７】
2019056225.tif 000009
【図８】
2019056225.tif 000010
【図９】
2019056225.tif 000011
【図１０】
2019056225.tif 000012
【図１１】
2019056225.tif 000013
【図１２】
2019056225.tif 000014
【図１３】
2019056225.tif 000015
【図１４】
2019056225.tif 000016
【図１５】
2019056225.tif 000017
【図１６】
2019056225.tif 000018